(57)【要約】【課題】チャタリングによるフックの誤検知を起こさずに、ハウリングなしで、オンフックからオフフックへ切り替えることが容易であるファクシミリ装置の電話機およびその制御方法を提供することを目的とするものである。【解決手段】本体スピーカで回線音をモニタしながら発呼動作を行うように指示するオンフックキーと、受話器で回線音をモニタしながらマイクで音声を送信するハンドセットとを具備するファクシミリ通信装置において、上記オンフックキーを押下した後に、上記ハンドセットをオフフックしたときに、上記本体スピーカでの回線モニタ停止と、オフフックダイヤル動作への切り替えとを、互いに異なる検出信号の検出によって、それぞれ開始することを特徴とするファクシミリ装置の電話機である。【選択図】  図２
2004254241.tif 000002
【特許請求の範囲】
【請求項１】
本体スピーカで回線音をモニタしながら発呼動作を行うように指示するオンフックキーと、受話器で回線音をモニタしながらマイクで音声を送信するハンドセットとを具備するファクシミリ装置の電話機において、
上記オンフックキーを押下した後に、上記ハンドセットをオフフックしたときに、上記本体スピーカでの回線モニタ停止と、オフフックダイヤル動作への切り替えとを、互いに異なる検出信号の検出によって、それぞれ開始することを特徴とするファクシミリ装置の電話機。
【請求項２】
本体スピーカで回線音をモニタしながら発呼動作を行うように指示するオンフックキーと、受話器で回線音をモニタしながらマイクで音声を送信するハンドセットとを具備するファクシミリ通信装置の電話機の制御方法において、
上記オンフックキーを押下した後に、上記ハンドセットをオフフックしたときに、上記本体スピーカでの回線モニタ停止と、オフフックダイヤル動作への切り替えとを、互いに異なる検出信号の検出によって、それぞれ開始することを特徴とするファクシミリ装置の電話機の制御方法。
【請求項３】
本体スピーカで回線音をモニタしながら発呼動作を行うように指示するオンフックキーと、受話器で回線音をモニタしながらマイクで音声を送信するハンドセットとを有するファクシミリ通信装置の電話機において、
上記オンフックキーを押下した後に、上記ハンドセットをオフフックしたときに、オフフック検出を確定する前に、回線モニタ停止制御を行うことを特徴とするファクシミリ装置の電話機。
【請求項４】
請求項３において、
ハンドセットオフフック検出開始と同時に回線モニタを停止し、一定時間経ってオフフック検出が終了しなければ、回線モニタを停止前の状態に復帰させることを特徴とするファクシミリ装置の電話機。
【請求項５】
請求項３において、
ハンドセットオフフック検出中は、オフフックの検出と回線モニタの動作とを連動させることを特徴とするファクシミリ装置の電話機。
【請求項６】
本体スピーカで回線音をモニタしながら発呼動作を行うように指示するオンフックキーと、受話器で回線音をモニタしながらマイクで音声を送信するハンドセットとを有するファクシミリ通信装置の電話機の制御方法において、
上記オンフックキーを押下した後に、上記ハンドセットをオフフックしたときに、オフフック検出を確定する前に、回線モニタ停止制御を行うことを特徴とするファクシミリ装置の電話機の制御方法。
【発明の詳細な説明】
【０００１】
【発明の属する技術分野】
本発明は、電話回線を通して通話および通信を行うファクシミリ装置の電話機およびその制御方法に関する。
【０００２】
【従来の技術】
ハンドセットをオフフックしながら、送話部分のマイクとスピーカとを近接させるとハウリングが生じやすい。
【０００３】
このハウリングを防止するために、電話機を具備するファクシミリ装置では、回線接続回路によってエコーを減衰させる電気的な処理や、電話機とスピーカとの配置を離す等、機械的処理、ハンドセットのオフフック時に、スピーカによるモニタを停止する等、ソフト的処理が加えられている。
【０００４】
ここで、オフフックを検出する場合、フック信号にはチャタリングが生じることが多いので、誤動作防止のため、たとえば２００ｍｓｅｃ等の一定時間オフフック状態を連続して検出したときに、オフフック状態であると初めて検出する場合が多い。
【０００５】
【発明が解決しようとする課題】
上記従来例で、初めオンフックキーによって本体スピーカをオン状態にして発呼し、その後に、ハンドセットをオフフックして電話動作に切り替える場合、チャタリング処理によってハンドセットのオフフック検出が確定した後に、本体スピーカのオフ処理を実行する。
【０００６】
図４は、上記従来例において、フックとスピーカオンオフの切り替えとのタイミングを示すタイミング図である。
【０００７】
このため、オフフック検出時間中に、オフフック状態であり、しかもスピーカオンの状態が生じるので、この状態においては、ハウリングが生じることがあるという問題がある。
【０００８】
本発明は、チャタリングによるフックの誤検知を起こさずに、ハウリングなしで、オンフックからオフフックへ切り替えることが容易であるファクシミリ装置の電話機およびその制御方法を提供することを目的とするものである。
【０００９】
【課題を解決するための手段】
本発明は、本体スピーカで回線音をモニタしながら発呼動作を行うように指示するオンフックキーと、受話器で回線音をモニタしながらマイクで音声を送信するハンドセットとを具備するファクシミリ通信装置において、上記オンフックキーを押下した後に、上記ハンドセットをオフフックしたときに、上記本体スピーカでの回線モニタ停止と、オフフックダイヤル動作への切り替えとを、互いに異なる検出信号の検出によって、それぞれ開始することを特徴とするファクシミリ装置の電話機である。
【００１０】
【発明の実施の形態および実施例】
［第１の実施例］
図１は、本発明の第１の実施例であるファクシミリ装置ＦＳ１の本体構成のうちで、電話制御に関する部分の概要を示す図である。
【００１１】
ファクシミリ装置ＦＳ１は、本体装置１００と、ハンドセット１０９と、操作／表示部１１０とを有する。
【００１２】
本体装置１００は、ＣＰＵ１０１と、ＲＡＭ１０２と、ＲＯＭ１０３と、ファクシミリの記録部１０４と、原稿を読み取って送信し、受信した原稿をプリントアウトする読取部１０５と、回線制御部１０６と、ＭＯＤＥＭ１０７と、スピーカ１０８とを有する。
【００１３】
ＣＰＵ１０１は、ＲＯＭ１０３に格納されているプログラムを解読し、ＲＡＭ１０２をワークスペースとして使用して装置全体の制御を行う。
【００１４】
操作／表示部１１０は、表示部１１１と、オンフックキー１１２と、ストップキー１１３と、スタートキー１１４と、テンキー１１５とを有する。
【００１５】
次に、上記実施例の動作について説明する。
【００１６】
オンフックキー１１２を押下すると、本体装置１００は、オンフックダイヤルモードで動作する。すなわち、ハンドセット１０９を上げなくても、回線を接続し、スピーカ１０８から回線音をモニタし、続けてテンキー１１５を押下し、所望のダイヤル番号を入力すると、ダイヤル音もモニタしつつ、押された番号に対応したパルスまたはＤＴＭＦ信号が回線を通って送出される。ダイヤル入力が終了したら、スタートキー１１４を押下すると、ファクシミリ装置ＦＳ１は、送信手順に向かう。
【００１７】
この例では、本体装置１００にマイクを持たないので、オンフックダイヤルモードで回線接続した場合は、電話による通話ができない。通話を行うには、追ってハンドセット１０９をオフフックし、ハンドセットのマイクから送話する必要がある。
【００１８】
ハンドセット１０９を持ち上げると、本体装置１００は、オフフックダイヤルモードに切り替わる。すなわち、ハンドセット１０９の受話器から、回線音が聞こえるようになり、本体スピーカ１０８からのモニタ音は、オフされる。この状態で、テンキー１１５を押下すると、ダイヤル音のみが、本体スピーカ１０８からもモニタされる。
【００１９】
次に、第１の実施例におけるハンドセット１０９のフック検知と、これに伴いダイヤルモードが変更されるまでの手順について説明する。
【００２０】
図２は、第１の実施例におけるハンドセット１０９のフック検知と、これに伴いダイヤルモードが変更されるまでの手順を示すフローチャートである。
【００２１】
待機状態（オンフックキー押下なし、ハンドセット＝オンフック、Ｓ２０１）において、５ｍｓｅｃの周期で、ハンドセット１０９のフック状態をポーリングで検出する（Ｓ２０２）。このときに、オフフック状態を検出する信号として、次のハンドセットオフフック検出信号１と、ハンドセットオフフック検出信号２との２系統を設ける。
【００２２】
「ハンドセットオフフック検出信号１」は、ハンドセット１０９のオフフック状態が２５ｍｓｅｃ連続したら、ＯＮする信号である。「ハンドセットオフフック検出信号２」は、ハンドセット１０９のオフフック状態が２００ｍｓｅｃ連続したら、ＯＮする信号である。
【００２３】
なお、オンフックキー１１２の押下の検出は、操作部１１０の別ルーチンで制御され、チャタリング処理後の信号のみが、本体装置１００に渡されるものとする。
【００２４】
オンフックキー１１２に入力がない場合、ハンドセットオフフック検出信号２に従い（Ｓ２０３）、２００ｍｓｅｃ以上連続してオフフックが検出された場合は、オフフックダイヤルモードに移行し（Ｓ２１０）、ハンドセット１０９と回線とを接続し、テンキー１１５等からのダイヤル入力待ち状態になる。
【００２５】
一方、オンフックキー１１２に入力があれば、回線を接続すると同時に、本体スピーカ１０８をＯＮし、回線音をモニタする（Ｓ２０４）。これと同時に、オンフックダイヤルモードに移行し、テンキー１１５等からのダイヤル入力待ち状態になる。
【００２６】
このダイヤル入力待ち状態、またはダイヤル番号を回線に送出した後の段階で、ハンドセット１０９がオフフックされた場合について考える。
【００２７】
スピーカ１０８がオンであり、しかもハンドセット１０９がオフフックの状態が連続した場合、ハウリングが発生し始めるのは、実験によって３０〜４０ｍｓｅｃ前後である。一方、ハンドセット１０９から回線制御部１０６に入力されるオフフック信号には、回線信号や他のリレーの動作等によって、常にノイズが載り、これらのノイズに逐一反応するのを防ぐには、最低限２０ｍｓｅｃ以上の連続検知が必要である。
【００２８】
このことから、上記実施例では、２５ｍｓｅｃ連続してオフフック信号を検出した場合、上記で述べた「ハンドセットオフフック検出信号１」をオンする（Ｓ２０５）。スピーカ１０８は、ハンドセットオフフック検出信号１を使用して制御し、この時点で、オフにする（Ｓ２０６）。これによって、ハウリングの発生を予め防止することができる。
【００２９】
一方、ハンドセットオフフック検出信号２は、検出を連続し、さらにオフフックが連続し、上記通常のオフフック検出と同じである２００ｍｓｅｃ以上の連続オフフックが起こった場合に、オンする（Ｓ２０７）。このハンドセットオフフック検出信号２を使用し、オンフックダイヤルによる発呼動作を停止し（Ｓ２０９）、通常のオフフック検出時と同様に、オフフックダイヤルによる発呼を開始する（Ｓ２１０）。
【００３０】
一方、２００ｍｓｅｃに満たないうちに１度でもハンドセット１０９のオンフック状態を検出した場合（Ｓ２０７）、それまでのオフフック検出は、ノイズであったと見なし、通常のオンフックダイヤル状態（Ｓ２０４）に復帰する。
【００３１】
なお、検出後のハンドセット１０９がオンフックであるときにおける処理、オンフックキー１１２の解除時、ダイヤル終了処理時、上記検出終了後の動作シーケンスは、公知であるので、それらの説明を省略する。
【００３２】
図３は、ファクシミリ装置ＦＳ１において、オンフックボタン押下によって発呼した後に、ハンドセットを持ち上げて通話しようとした場合における各信号波形の一例を示す図である。
【００３３】
５ｍｓｅｃ周期でハンドセットオフフックを検出し、オフフックが入っていたら、モニタをＯＦＦする。これによって、オフフックと回線モニタＯＮとが重複する時間は、最大５ｍｓｅｃ程度になり、ハウリングは生じない。
【００３４】
上記第１の実施例によれば、本体スピーカで回線音をモニタしながら発呼動作を行うように指示するオンフックキーと、受話器で回線音をモニタしながらマイクで音声を送信するハンドセットとを具備するファクシミリ通信装置において、オンフックキー押下後のハンドセットオフフック時に、本体スピーカでの回線モニタ停止と、オフフックダイヤル動作への切り替えとを、互いに異なる検出信号でそれぞれ実行するので、チャタリングによるフックの誤検知を起こさずに、ハウリングなしでオンフックからオフフックへの切り替えが容易である。
【００３５】
［第２の実施例］
本発明の第２の実施例であるファクシミリ装置ＦＳ２の構成は、図１に示す第１の実施例であるファクシミリ装置ＦＳ１の構成と同様である。
【００３６】
次に、第２の実施例であるファクシミリ装置ＦＳ２の動作について説明する。
【００３７】
ファクシミリ装置ＦＳ２において、オンフックキー１１２を押下すると、本体装置１００は、オンフックダイヤルモードで動作する。すなわち、ハンドセット１０９を上げなくても、回線を接続し、スピーカ１０８から回線音をモニタし、続けてテンキー１１５を押下し、所望のダイヤル番号を入力すると、ダイヤル音もモニタしつつ、押された番号に対応するパルスまたはＤＴＭＦ信号が、回線を通って送出される。ダイヤル入力が終了したら、スタートキー１１４を押下すると、ファクシミリ装置ＦＳ２は、送信手順に向かう。
【００３８】
第２の実施例では、本体装置１００にマイクを持たないので、オンフックダイヤルモードで回線接続した場合は、電話による通話ができない。通話を行うには、追ってハンドセット１０９をオフフックし、ハンドセットのマイクから送話する必要がある。
【００３９】
ハンドセット１０９を持ち上げると、本体装置１００は、オフフックダイヤルモードに切り替わる。すなわち、ハンドセット１０９の受話器から、回線音が聞こえるようになり、本体スピーカ１０８からのモニタ音は、オフされる。この状態で、テンキー１１５を押下した場合、ダイヤル音のみが、本体スピーカ１０８からもモニタされる。
【００４０】
図５は、第２の実施例において、初めにオンフックキー１１２を押下し、その後に、ハンドセット１０９を持ち上げた場合における各信号波形の図である。
【００４１】
待機状態（オンフックキー押下なし、ハンドセット＝オンフック）において、５ｍｓｅｃの周期で、ハンドセット１０９のフック状態を、ポーリングで検出している。ここで、オンフックキー１１２の押下の検出は、操作部１１０の別ルーチンで制御され、チャタリング処理後の信号のみが、本体装置１００に渡されるものとする。
【００４２】
ハンドセット１０９のオフフック検出信号は、チャタリングによる誤動作がなくなる程度のオフフック連続を検出した場合、たとえば、第２の実施例では、２００ｍｓｅｃ以上連続してオフフックが検出された場合に、オフになる。
【００４３】
オフフック検出信号がオフになる（オフフックを検出する）と、本体装置１００は、オフフックダイヤルモードに移行し、ハンドセット１０９と回線とを接続し、テンキー１１５等からのダイヤル入力待ち状態になる。
【００４４】
一方、待機状態からオンフックキー１１２に入力があると、本体装置１００では、回線を接続すると同時に、本体スピーカ１０８をＯＮし、回線音のモニタを行う。これと同時に、オンフックダイヤルモードに移行し、テンキー１１５等からのダイヤル入力待ち状態になる。
【００４５】
このダイヤル入力待ち状態、またはダイヤル番号を回線に送出後の段階で、ハンドセット１０９がオフフックされた場合を考える。
【００４６】
「スピーカ１０８がオンであり、しかもハンドセット１０９がオフフック」である状態が連続した場合、ハンドセット１０９のマイクが、スピーカ１０８の出力を拾い、ハウリングが発生し始めるのは、実験によって３０〜４０ｍｓｅｃ前後である。
【００４７】
一方、ハンドセット１０９をオフフックすることによって、回線制御部１０６に入力される信号は、チャタリングやノイズ等によって、細かくオン・オフし、この周期は、１回につき主に２０ｍｓｅｃ程度である。したがって、５ｍｓｅｃ周期で、フック信号のオン・オフを検出し、オフフックを１度でも検出したら、スピーカ１０８をオフに制御すれば、オフフックであり、しかもモニタオンの状態を５ｍｓｅｃ以下に抑えることができ、その残り１５ｍｓｅｃ程度は、モニタをオフに保つことができる。これによって、ハウリングの発生を防止することができる。
【００４８】
一方、モニタをオン・オフ制御中でも、フック検出を継続し、オフフックが連続して２００ｍｓｅｃ以上連続した場合に、オフフックを検出したとし、オンフックダイヤルによる発呼動作を停止し、前に説明した通常のオフフック検出時と同様のオフフックダイヤルによる発呼を開始する。
【００４９】
なお、検出後におけるハンドセット１０９オンフック時の処理、オンフックキー１１２解除時、ダイヤル終了処理時、上記検出終了後の動作シーケンスは、公知であるために、それらの説明を省略する。
【００５０】
［第３の実施例］
上記第２の実施例において、オンフックダイヤルのダイヤル番号送出中に、ハンドセットがオフフックされた場合について考える。
【００５１】
オンフックダイヤル中のダイヤル時は、ダイヤル発呼中は、ダイヤル音をスピーカ１０８から鳴らしてダイヤル中であることを明らかにする必要がある。上記実施例のように、フックを検出し、モニタをオフにした場合、ダイヤル音が聞こえなくなる等の不具合が起こる可能性がある。
【００５２】
そこで、第３の実施例では、本体装置１００がダイヤル動作を実行中である場合には、ハンドセットのオフフックを検出せず、ハンドセットと回線とをつながずに、ダイヤル音のモニタを行う。その後に、ダイヤル終了と同時に、上記第２の実施例の方法で、フック検出を再開する。
【００５３】
なお、第３の実施例の構成は、第１の実施例の構成と同様である。
【００５４】
図６は、第３の実施例における各信号波形を示す図である。
【００５５】
ＭＯＤＥＭ１０７からＤＴＭＦ音を鳴らしている最中は、図６に示すように、ハンドセット１０９のフック検出を無効とし、ハンドセットを回線から切り離して、ダイヤル音をスピーカ１０８から鳴らす。したがって、ダイヤル中に入力されたオフフック信号（図中斜線部分）を無効とし、ダイヤル音が停止した後に、フック検出を再び有効とし、上記第２の実施例で説明したモニタ信号制御を行う。
【００５６】
これによって、オンフックダイヤルのモニタ動作には影響を与えずに、しかもハウリングを起こさずに、オンフックからオフフックへ回線変更することができる。したがって、オンフックダイヤルの動作には影響を与えず、しかもハウリングを起こさずに、オンフックからオフフックへ回線変更することができる。
【００５７】
【発明の効果】
本発明によれば、本体スピーカで回線音をモニタしながら発呼動作を行うように指示するオンフックキーと、受話器で回線音をモニタしながらマイクで音声を送信するハンドセットとを具備するファクシミリ通信装置において、チャタリングによるフックの誤検知を起こさずに、ハウリングなしでオンフックからオフフックへの切り替えが容易であるという効果を奏する。
【図面の簡単な説明】
【図１】本発明の第１の実施例であるファクシミリ装置ＦＳ１の本体構成のうちで、電話制御に関する部分の概要を示す図である。
【図２】第１の実施例におけるハンドセット１０９のフック検知と、これに伴いダイヤルモードが変更されるまでの手順を示すフローチャートである。
【図３】ファクシミリ装置ＦＳ１において、オンフックボタン押下によって発呼した後に、ハンドセットを持ち上げて通話しようとした場合における各信号波形の一例を示す図である。
【図４】上記従来例において、フックとスピーカオンオフの切り替えとのタイミングを示すタイミング図である。
【図５】第２の実施例において、初めにオンフックキー１１２を押下し、その後に、ハンドセット１０９を持ち上げた場合における各信号波形の図である。
【図６】第３の実施例における各信号波形を示す図である。
【符号の説明】
ＦＳ１…ファクシミリ装置、
１００…本体装置、
１０１…ＣＰＵ、
１０２…ＲＡＭ、
１０３…ＲＯＭ、
１０４…記録部、
１０５…読取部、
１０６…回線制御部、
１０７…ＭＯＤＥＭ、
１０８…スピーカ、
１０９…ハンドセット、
１１０…操作／表示部、
１１１…表示部、
１１２…オンフックキー、
１１３…ストップキー、
１１４…スタートキー、
１１５…テンキー。
【図１】
2004254241.tif 000003
【図２】
2004254241.tif 000004
【図３】
2004254241.tif 000005
【図４】
2004254241.tif 000006
【図５】
2004254241.tif 000007
【図６】
2004254241.tif 000008